【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
産業プロセス材料にマークを付す方法であって、
前記方法は、
極微量の発光マーカであって、周囲光が存在する中で光学的に検出可能であるには不十分であるが、フィールド中の位置または現場においては非破壊で光学的に検出可能であるには十分である、前記産業プロセス材料の中および／または上における前記極微量の発光マーカを有する前記産業プロセス材料をコード化すること、
を含み、
前記極微量の発光マーカを使用して、材料制御と、目録制御と、在庫制御と、プロセス制御と、論理制御と、品質制御と、汚染制御とのうちの少なくとも１つのために、前記産業プロセス材料を追跡、識別、または認証し、
前記発光マーカは、複数の構成発光材料を含み、
前記複数の構成発光材料のうちの各発光材料は、１つ以上の異なるピークを含む燐光の放射スペクトルを有し、
複数のそれぞれの発光材料からの複数の放射が、相互に干渉しないように、前記１つ以上の異なるピークは、前記各発光材料に特有である、方法。
【請求項２】
前記複数の構成発光材料のうちの少なくとも１つの構成発光材料は、燐光を放射する無機蛍光体である、請求項１記載の方法。
【請求項３】
前記産業プロセス材料は、セメントと、コンクリートと、木材と、鉱石と、プラスティックと、繊維と、食品と、塗料と、金属と、爆発前駆物質と、爆発材料とのうちの少なくとも１つである、請求項１または２記載の方法。
【請求項４】
前記発光マーカは、１以上の発光材料を含み、
前記１以上の発光材料は、特有の発光の放射および／または励起プロフィールを個別または集合的に有する、請求項１乃至３のいずれか１項記載の方法。
【請求項５】
前記極微量の発光マーカは、前記産業プロセス材料の質量の１０億分の１から１％未満である、請求項１乃至４のいずれか１項記載の方法。
【請求項６】
前記極微量の発光マーカは、前記産業プロセス材料の生物学的試験に使用されない、請求項１乃至５のいずれか１項記載の方法。
【請求項７】
前記発光マーカは、２５０ｎｍから３６５ｎｍの波長範囲を有する光放射を使用して、光学的に検出可能である、請求項１乃至６のいずれか１項記載の方法。
【請求項８】
前記発光マーカは、ポータブル発光読取装置を用いて、フィールド中の位置または現場において光学的に検出される、請求項１乃至７のいずれか１項記載の方法。
【請求項９】
産業プロセス材料のライフサイクルの複数の段階を通じて、前記産業プロセス材料を追跡する方法であって、
前記方法は、
極微量の発光マーカを前記産業プロセス材料の中および／または上に選択的に組み込むことによって、特有の発光応答を有する前記産業プロセス材料をコード化するステップと、
前記特有の発光応答に対応する、前記産業プロセス材料からの発光応答を、前記フィールド中の位置または現場において検出することにより、前記産業プロセス材料の前記ライフサイクルの複数の段階中に前記産業プロセス材料を識別または認証するステップと、
を含み、
前記発光マーカは、複数の構成発光材料を含み、
前記複数の構成発光材料のうちの各発光材料は、１つ以上の異なるピークを含む燐光の放射スペクトルを有し、
複数のそれぞれの発光材料からの複数の放射が、相互に干渉しないように、前記１つ以上の異なるピークは、前記各発光材料に特有である、方法。
【請求項１０】
前記複数の構成発光材料のうちの少なくとも１つの構成発光材料は、燐光を放射する発光金属複合体または無機蛍光体である、請求項９記載の方法。
【請求項１１】
前記産業プロセス材料は、セメントと、コンクリートと、木材と、鉱石と、プラスティックと、繊維と、食品と、塗料と、金属と、爆発前駆物質と、爆発材料とのうちの少なくとも１つである、請求項９または１０記載の方法。
【請求項１２】
前記発光マーカは、特有の発光の放射および／または励起プロフィールを個別または集合的に有する１以上の発光材料を含んでいる、請求項９乃至１１のいずれか１項記載の方法。
【請求項１３】
前記極微量の発光マーカは、前記産業プロセス材料の質量の１０億分の１から１％未満である、請求項９乃至１２のいずれか１項記載の方法。
【請求項１４】
前記極微量の発光マーカは、前記産業プロセス材料の生物学的試験に使用されない、請求項９乃至１３のいずれか１項記載の方法。
【請求項１５】
前記発光マーカは、２５０ｎｍから３６５ｎｍの波長範囲を有する光放射を使用して光学的に検出可能である請求項９乃至１４のいずれか１項記載の方法。
【請求項１６】
前記発光マーカは、ポータブル発光読取装置を用いて、前記フィールド中の位置または現場において光学的に検出される、請求項９乃至１５のいずれか１項記載の方法。
【請求項１７】
前記特有の発光応答は、前記産業プロセス材料に対応する特有のコードを表している、請求項９乃至１６のいずれか１項記載の方法。
【請求項１８】
前記特有のコードは、１以上の予め定められた発光検出パラメータおよび／または発光検出アルゴリズムによりさらに表される、請求項１７記載の方法。
【請求項１９】
前記特有のコードは、前記発光マーカを含む対応する複数の発光材料にそれぞれ関連付けられている複数の発光の放射および／または励起プロフィールの相対的な存在および／または不存在によりさらに表される、請求項１７または１８記載の方法。
【請求項２０】
前記産業プロセス材料に関係する情報と、前記産業プロセス材料の与えられた特有の発光応答は、関連付けられてデータベースに記憶される、請求項９乃至１９のいずれか１項記載の方法。
【請求項２１】
前記産業プロセス材料のライフサイクルの複数の段階は、原材料の獲得と、処理と、製造と、処方と、輸送と、分配と、使用と、再使用と、メンテナンスと、リサイクルと、破棄と、廃棄物管理とのうちの少なくとも２つを含んでいる、請求項９乃至２０のいずれか１項記載の方法。
【請求項２２】
前記産業プロセス材料から形成された製品、部品、または構造物を、前記製品、前記部品、または前記構造物に損傷を与えることなく追跡するステップをさらに含んでいる、請求項９乃至２１のいずれか１項記載の方法。
【請求項２３】
前記産業プロセス材料は、複数のバッチで獲得または処理され、
前記産業プロセス材料の目録制御または在庫制御を可能にするために、前記産業プロセス材料の個々のバッチに対して、特有の発光応答が与えられる、請求項９乃至２２のいずれか１項記載の方法。
【請求項２４】
複数の産業プロセス材料、並びに／或いは前記複数の産業プロセス材料から形成された複数の製品、複数の部品、または複数の構造物に与えられた複数の特有の発光応答を、フィールド中の位置または現場において検出するように構成されている、ポータブル発光読取装置と、
ここで、複数のそれぞれの特有の発光応答は、複数のそれぞれの産業プロセス材料、並びに／或いは複数のそれぞれの産業プロセス材料から形成された複数の製品、複数の部品、または複数の構造物の中および／または上に組み込まれた極微量の発光マーカによって与えられ、
前記発光マーカは、複数の構成発光材料を含み、
前記複数の構成発光材料のうちの各発光材料は、１つ以上の異なるピークを含む発光放射スペクトルを有し、
複数のそれぞれの発光材料からの複数の放射が、相互に干渉しないように、前記１つ以上の異なるピークは、前記各発光材料に特有である、
前記複数の産業プロセス材料、複数の製品、複数の部品、および／または複数の構造物に関係する情報と、それらの対応する与えられた複数の特有の発光応答とを、関連付けて記憶する、データベースと、
前記ポータブル発光読取装置により検出された複数の発光応答と、前記データベースに記憶されている与えられた複数の特有の発光応答とを比較し、前記複数の産業プロセス材料、複数の製品、複数の部品、および／または複数の構造物を識別または認証することを、プロセッサに行わせる、複数のプロセッサ命令と、
を含んでいる、システム。
【請求項２５】
分光計の光源と分光計の検出器とを含むポータブル発光読取装置であって、
分光計の光源の光路と分光計の検出器の光路は、サンプル領域を定める開口を有する不透明なシュラウドの中に共通して配置されており、
前記分光計の光源と前記分光計の検出器は、前記サンプル領域において実質的に焦点面が同一であり、
前記開口がサンプルによって実質的に塞がれているときに、前記不透明なシュラウドは、前記分光計の検出器から周囲光を実質的に塞ぐ、ポータブル発光読取装置。
【請求項２６】
前記分光計の光源は、２５０ｎｍから３６５ｎｍの波長範囲を有する少なくとも１つの発光ダイオード（ＬＥＤ）を含む、請求項２５記載のポータブル発光読取装置。
【請求項２７】
前記不透明のシュラウドの前記開口は、前記産業プロセス材料、或いは前記産業プロセス材料から形成された製品、部品、および／または構造物、のサンプルを実質的に内部に閉じ込めるように適合する、請求項２５または２６記載のポータブル発光読取装置。